(57)【特許請求の範囲】
【請求項１】
長尺体を覆う一対の長尺体カバー間における前記長尺体の屈曲部分を、該屈曲部分を収容自在な断面円形の屈曲カバー本体と、該屈曲カバー本体の各端部と前記両長尺体カバーの端部とに亘って外装される一対の連結カバー部とで成る屈曲カバー機構で覆うとともに、前記屈曲カバー本体を、これの軸心に沿う面で分割される一対の分割カバーで構成してある長尺体のカバー構造であって、
前記連結カバー部を、カバー固定対象部に固定されたブラケットに対して装着及び取外し自在に構成するとともに、前記一対の分割カバーのうちのいずれか一方の分割カバーの各端部を、前記屈曲カバー本体の端部における軸心周りに回動移動自在に支持する係合部を、前記ブラケットの夫々に設けてある長尺体のカバー構造。
【請求項２】
前記係合部に、前記一方の分割カバーの端部を遊嵌状態で支持させてある請求項１に記載の長尺体のカバー構造。
【請求項３】
前記屈曲カバー本体の端部の外郭形状を先細り状としてある請求項１又は２に記載の長尺体のカバー構造。
【請求項４】
前記ブラケットに、前記長尺体カバーの端部を支持する部分を設けてある請求項１〜３のいずれか１項に記載の長尺体のカバー構造。
【発明の詳細な説明】
【０００１】
【発明の属する技術分野】
本発明は、空調用配管やガス導管、或いは給湯配管等の長尺体における屈曲部分を覆う長尺体のカバー構造に係り、詳しくは、出隅や入隅において用いられるエルボ部分のカバーを、その両側に配置されるカバーの相対配置条件の種々の異なりに対応しながらも見栄え良く処理できる技術に関する。
【０００２】
【従来の技術】
例えば、室内の壁面に沿って配管される給湯用の管や電気配線、室内機と室外機とを接続する空調用配管等は体裁を構わない無骨なものであり、一定間隔毎に装備されるクランプを伴なった機能部品状態での外観はあまり芳しいものではないため、近年では、配管を覆うカバーを設けて見栄えを良くすることが標準仕様になりつつある。この場合、極力直線的な配管を行なうことが見た目及びコスト上での基本であり、室内の隅部や外壁の角部といったコーナー部分に配置されるエルボ等の屈曲経路部分では、このエルボを覆う専用の屈曲配管カバーを用いて、その両側に位置する直線配管カバーの端部どうしを接続することにより、一連一体の良好な外観を呈する状態に配管カバーを敷設するようになる。
【０００３】
従来では、実公平７−３６２３４号公報の図１に示されたもののように、直線状の配管を覆う一対の直線配管カバー間における配管の９０度屈曲部分（エルボ部分）を、その屈曲部分を収容自在な屈曲カバー本体と、屈曲カバー本体の各端部と直線配管カバーの端部とに亘って外装される一対の連結カバー部とで成る屈曲カバー機構で覆うとともに、屈曲カバー本体を、これの軸心を通る面で分割される一対の分割カバーで構成された長尺体のカバー構造が知られている。
【０００４】
この構造では、カバー固定対象面にビス止めされる屈曲カバー本体の断面形状が八角形であるため、屈曲カバー本体を壁面に直に面接触させてビス止め固定しながら、連結カバー部に対して管軸心周りに４５度回動移動させて接続配置することができるので、水平面における９０度屈曲したエルボ部分、或いは相対的に４５度傾いた面における９０度屈曲したエルボ部分については対応可能である。
【０００５】
又、前記公報の図７に示されたもののように、屈曲カバー本体の断面形状を円形とすることにより、周溝嵌合構造を採用しながらも屈曲カバー本体を連結カバーに対して回動移動自在となり、一対の直線配管カバーどうしに微少な相対角度が存在しながら９０度屈曲するエルボ部分を隙間無く良好にカバーできるように工夫されたものも知られている。これにより、断面八角形の屈曲カバー本体を用いた場合では対応できない直線配管カバーどうしの相対的な傾き角に自在に対応できる利点がある。
【０００６】
【発明が解決しようとする課題】
しかしながら、断面円形の屈曲カバー本体を用いた屈曲カバー機構を用いても、施工上において不便を伴なう場合がある。すなわち、前述した公報の図７に示されたものは、一対の連結カバー部を壁面にビス止め固定し、かつ、この固定された連結カバー部によって屈曲カバー本体を挟み込んで固定させる構造であり、連結カバー部を固定しない限り、屈曲カバー本体を固定できない。
【０００７】
しかして、屈曲カバー本体を構成する一対の分割カバーのうちの壁側のものを、エルボの配置後に該エルボと壁面との間に挿入して配置することは不可であるため、実際には、壁側の分割カバーを所定の位置に手指等で押さえて保持しながらエルボの配管を行なうという面倒で煩わしい操作を行なう必要がある。加えて、エルボ配管によって辛うじて保持されている壁側の分割カバーに、もう一方の分割カバーを組み合わせた状態で、一対の連結カバー部を周溝嵌合させてビス止めするという煩雑な操作も必要であり、屈曲カバー機構の装着作業性には改善の余地が残されているものであった。これが第１の課題である。
【０００８】
それから、前述した従来の屈曲カバー機構では、配管の敷設場所条件によっては、屈曲配管カバーを円滑に装備し難い状態となることがあった。すなわち、図２に示すように、エルボ７の両側に配置される直線配管カバー６，６が、それらカバーに内装される配管の軸心に関して互いに９０度捩じられた姿勢で、かつ、互いに異なる面ｆ，ｇに取付けられることにより、一方の直線配管カバー６での設定配管中心ｘ１と、他方の直線配管カバー６での設定配管中心ｘ２とが互いに離れて交わらず、三次元的な屈曲配管経路が形成される場合である。それは、次のような原因に因る。
【０００９】
図３に示すように、直線配管カバー６は、構造物の面に固定されるカバーベース１と、このカバーベース１に対して着脱自在に取付けられるカバー本体２と、カバーベース１に設けられた配管支持用のクランプ３とから構成されており、全体としての断面形状は、矩形におけるカバーベース取付面と反対側の一辺が半円形に丸められた略カマボコ形を呈している。そして、半円形辺を円弧とする径のほぼ中心Ｘに配管Ｐが位置するようにクランプ３が形成されており、配管Ｐの直下位置にカバーベース１を壁面に固定するためのビス４が配置されている。
【００１０】
又、種々の配管径に対応可能となるように、配管Ｐの外周とカバー本体２の内周とに所定の間隙を設けるとか、カバー本体２をカバーベース１に弾性的に係合させるための外側への膨出変形空間ΔＤを確保するといった諸条件を満たすように設計すると、カバーベース１の取付対象壁面ｗ１と配管軸心ｘとの間隔ｄ１と、近接する横側方の壁面ｗ２と配管軸心ｘとの間隔ｄ２とには、ｄ１≠ｄ２の関係が生じることとなり、これが前述した原因である。
【００１１】
従って、屈曲配管カバーを直線配管カバーに直接に接続させる構造では、ｄ１≠ｄ２の関係を満たすべく、種々の施工状況に即した偏心量が施された複数種の屈曲配管カバーがその都度必要になるから、いきおい、成形金型が多くなってコスト高になってしまう。そこで、実公平７−３６２３４号公報の図７に示されたもののように、エルボ管部分を覆う断面円形の屈曲カバー本体と、該屈曲カバー本体の端部と直線配管カバーの端部とに亘って外装される連結カバーの一対と、の３部品を用いる構造を踏襲することにより、複数種の屈曲配管カバーを用意すること無く良好にカバーさせることが考えられた。
【００１２】
すなわち、前述したｄ１≠ｄ２の関係によって直線配管カバーと屈曲配管カバーとの接続箇所が傾くとか、両者の隙間が均一に取れない等の接続ずれを、連結カバーで覆うことによって外観を向上できるとともに、屈曲配管カバーと連結カバーとは１種類で良く、部品点数は増えるが金型費を削減できる点で汎用性が備わるようになり、全体としてはコストダウンできる合理的な手段としてである。
【００１３】
しかしながら、前記公報の図７に示された構造そのままでは、前述の３次元的に曲がる屈曲部を見栄え良くカバーすることが依然として難しいことが分かってきたのである。つまり、実公平７−３６２３４号公報の図７に示されたものでは、一対の連結カバーを壁面にビス止め固定し、かつ、屈曲配管カバーは、これと連結カバーとを周溝嵌合させることで相対姿勢が固定された状態で装備される構造であるから、互いに壁面に固定された連結カバーと屈曲配管カバーとの姿勢のずれを吸収する部分が存在しない。
【００１４】
故に、前述したｄ１≠ｄ２が存在する場合には、取付け施工ができない又は行ない難いとか、無理に取付けて周溝嵌合部や屈曲カバー本体を破損させてしまう等の不都合が生じ易いものであり、無理なく円滑に施工できるようにするには更なる改善の余地が残されているものであった。これが第２の課題である。
【００１５】
上記実情に鑑みての本発明の第１目的は、一対の長尺体カバーどうしに９０度等の曲がり以外の方向に相対角度差がある場合でも無理なく対応できる断面円形で２分割構造の屈曲配管カバーを用いた屈曲カバー機構を、一方の分割カバーをエルボ配管の前に仮固定できるようにして、その施工作業性を改善する点にある。第２目的は、一対の連結カバー部と屈曲カバー本体とでエルボ管部分をカバーする構造を踏襲しながら、各部品に無理な力が作用すること無く３次元的に曲がる長尺体のカバー構造を実現させる点にある。
【００１６】
【課題を解決するための手段】
〔構成〕
請求項１の構成は、図１，８，９に例示する如く、長尺体Ｐを覆う一対の長尺体カバー６，６間における長尺体Ｐの屈曲部分７を、この屈曲部分７を収容自在な断面円形の屈曲カバー本体８と、屈曲カバー本体８の各端部と両長尺体カバー６，６の端部とに亘って外装される一対の連結カバー部ｑとで成る屈曲カバー機構Ａで覆うとともに、屈曲カバー本体８を、これの軸心８ｔに沿う面で分割される一対の分割カバー８Ａ，８Ｂで構成してある長尺体のカバー構造において、
連結カバー部ｑを、カバー固定対象部に固定されたブラケット１０に対して装着及び取外し自在に構成するとともに、一対の分割カバー８Ａ，８Ｂのうちのいずれか一方の分割カバー８Ａの各端部を、屈曲カバー本体８の端部における軸心８ｔ周りに回動移動自在に支持する係合部２０を、ブラケット１０の夫々に設けてあることを特徴とする。
【００１７】
請求項２の構成は、図１２に例示する如く、請求項１の構成において、係合部２０に、一方の分割カバー８Ａの端部を遊嵌状態で支持させてあることを特徴とするものである。
【００１８】
請求項３の構成は、図１２に例示する如く、請求項１又は２の構成において、屈曲カバー本体８の端部の外郭形状を先細り状としてあることを特徴とするものである。
【００１９】
請求項４の構成は、図８に例示する如く、請求項１〜３の構成において、ブラケット１０に、長尺体カバー６の端部を支持する部分２１を設けてあることを特徴とするものである。
【００２０】
尚、上述のように、図面との対照を便利にするために符号を記したが、該記入により本発明は添付図面の構成に限定されるものではない。
【００２１】
〔作用〕
請求項１の構成は、カバー固定対象部に固定のブラケットに対して屈曲カバー本体を装着し、かつ、屈曲カバー本体を構成する一方の分割カバーを各ブラケットに対して断面中心周りに回動移動自在に支持させる手段である。回動移動自在に支持させることにより、長尺体カバーどうしに９０度等の設定された曲がり以外の方向に相対角度差が存在している場合には、ブラケットに対して屈曲カバー本体が回動移動することで、その角度差を無理なく吸収することができるようになる。
【００２２】
加えて、一方の分割カバーを一対のブラケットに対して支持させてあるので、この一方の分割カバーをエルボの配管前にブラケットに支持させて仮固定、又は本固定することができ（図９参照）、エルボ配管時に分割カバーを手指等で支持し続けるということから解放されるようになる。
【００２３】
請求項２の構成によれば、係合部に、一方の分割カバーの端部を遊嵌状態で支持させたので、屈曲配管カバーが、ブラケット、すなわち連結カバー部に対して回動移動だけでなく、折れ曲がり変位することも可能になる（図１３参照）。故に、詳しくは実施形態の項にて説明するが、回動移動できる融通（第１融通）と、折れ曲がり変位できる融通（第２融通）との両融通により、一方の直線配管カバーでの設定配管中心と、他方の直線配管カバーでの設定配管中心とが互いに交わらない三次元的な屈曲配管経路が形成される場合に無理無く対応させることができる。つまり、連結カバー部と屈曲配管カバーとの姿勢のずれを吸収する部分が存在することになり、前述したｄ１≠ｄ２が明確に存在する場合でも、屈曲配管カバーをブラケットに無理無く支持できて取付け施工することが可能になる。
【００２４】
請求項３の構成によれば、屈曲カバー本体の端部の外郭形状を先細り状としたので、この先細り先端部に連結カバー部の端部が外嵌することになる。これにより、屈曲カバー本体における先細りしていない部分の外径と、連結カバー部の外径（外寸）とを極力同じ寸法に近づけることができ、極端な太さの違いを軽減又は無くして、連結カバー部と屈曲カバー本体との見た目の繋がり具合を円滑な状態にすることができる。又、連結カバー部と屈曲カバー本体とが折れ曲がり変位する場合には、これら両者が直管どうしで嵌合している状態に比べて、該両者の隙間が増大する率を軽減、すなわち隙間の増大を抑制することができる。
【００２５】
請求項４の構成によれば、長尺体カバーの端部を支持する部分をブラケットに、設けたので、ビス等の長尺体カバー端部を止める手段を省くことができるようになる。
【００２６】
〔効果〕
請求項１〜４のいずれに記載の長尺体のカバー構造でも、断面円形で２分割構造の屈曲カバー本体を、ブラケットを介して固定させる工夫により、一対の直線配管カバーどうしの配管軸心が相対傾斜しながら屈曲経路を構成していても、ブラケットと屈曲カバー本体との相対回動によってその相対傾斜に無理なく対応しながら、エルボ等の長尺体屈曲部分の配管前に片側の分割カバーを、他に支持手段を要することなく仮固定でき、カバーの施工作業性を改善することができた。
【００２７】
請求項２に記載の長尺体のカバー構造では、屈曲配管カバーを、ブラケットに対して回動移動自在及び折れ曲がり変位可能に支持させることにより、一対の連結カバー部と屈曲カバー本体とでエルボ等の長尺体屈曲部分をカバーする構造を基本的に踏襲しながら、各部品に無理な力が作用すること無く３次元的に曲がる部分を覆うことができた。
【００２８】
請求項３に記載の長尺体のカバー構造では、連結カバー部と屈曲カバー本体との太さの差を少なくでき、かつ、これら両者が折れ曲がり変位する場合に連結カバー部と屈曲カバー本体との隙間が増大することを抑制又は解消でき、見栄えを向上させることができた。
【００２９】
請求項４に記載の長尺体のカバー構造では、屈曲カバー機構固定用のブラケットで長尺体カバー端部の固定も行なえる多機能化が実現でき、構造の簡略化やコストダウンが図れる利点がある。
【００３０】
【発明の実施の形態】
以下、本発明の実施の形態を図面に基づいて説明する。
図１，２に、室内にて配管された給湯管Ｐ（長尺体の一例）の隅部における方向変換部分が示されている。給湯管Ｐは、保護及び見栄えを目的とした配管カバーＢ（長尺体カバーの一例）で覆われており、配管カバーＢは、ストレート管５を覆う直線配管カバー６、エルボ管７部分を覆う屈曲配管カバー８、直線配管カバー６と屈曲配管カバー８とに跨る連結カバー９等から構成されている。
【００３１】
室内の隅では、ｅ壁とｆ壁とｇ壁とが交わるところであり、一方の直線配管カバー６はｆ壁に対して取付けられており、他方の直線配管カバー６はｇ壁に対して取付けられている。つまり、向かい合う直線配管カバー６，６は、配管カバーＢに内装される給湯管Ｐの軸心ｘに関して互いに９０度捩じられた姿勢で、かつ、互いに異なる面に取付けられており、「発明が解決しようとする課題」の項にて述べたように、三次元的な屈曲配管経路が形成されている。
【００３２】
つまり、一方の直線配管カバー６の軸心ｘ１と、他方の直線配管カバー６の軸心ｘ２とが交わらず、段差ａが付いた状態でのエルボ管７を配管するものである。そこで、断面円形の屈曲配管カバー８と、一対の連結カバー９，９、及び一対の固定ブラケット１０，１０等から、三次元的に曲がる方向転換部分を、その双方の軸心ｘ１，ｘ２が交わらない芯ずれを吸収しながら上手く覆う屈曲カバー機構Ａを構成してある。次に、各部品の構造について先に説明する。
【００３３】
図３に示すように、直線配管カバー６，６は、ｆ壁等の面（ｗ１）にビス４で固定されるカバーベース１と、カバー本体２と、隣合うビス４，４間にてカバー長手方向にスライド移動自在にカバーベース１に係合支持されたクランプ３とから構成されている。カバーベース１にはクランプ３を嵌め入れるための内向きレール部１ａ，１ａと、カバー本体２を嵌め込むための外向き係入部１ｂ，１ｂが形成されている。
【００３４】
クランプ３は、レール部１ａ，１ａに嵌合する脚片３ａ，３ａと、配管Ｐを内嵌保持可能な保持片３ｂ，３ｂを有した管軸方向に短いものであり、１個の直線配管カバー６，６につき複数個装備されている。カバー本体２は、半円弧状の上部２Ａの両側にスカート部２Ｂ，２Ｂを備えた断面逆向き略Ｕ字形状を呈し、係入部１ｂに係合する一対の突起２ａを各スカート部２Ｂに形成してある。
【００３５】
クランプ３は、隣合うビス４どうしの間ではスライド自在であり、その範囲内では管軸方向の配管保持位置を自由に設定することができる。配管Ｐをクランプ３に押し込めば、保持片３ｂ，３ｂが弾性変形して嵌め入れることができる。カバー本体２は、カバーベース１に対して上方から落とし込み操作すれば、カバー本体２が弾性拡径変形して突起２ａ，２ａが係入部１ｂ，１ｂを乗り越えてから係合することができる。その乗り越え時のカバー本体２の外方への変位量ΔＤを、カバー本体２の設置状態において壁面から離しておく必要がある。
【００３６】
図１，４，１０に示すように、Ｌ字状の屈曲配管カバー８は、これの軸心８ｔに沿う面、詳しくは、屈曲軸心８ｔを全て含んだ面を割面とした基カバー８Ａと蓋カバー８Ｂとから成る２分割構造に構成されており、その両側の先端部８ｓには先細り形状となるテーパ面１１が施されている。両カバー８Ａ，８Ｂは、蓋カバー８Ｂが外側となる周縁の段差嵌合部１２と、基カバー８Ａが凹部１３ａで、かつ、蓋カバー８Ｂが凸部１３ｂとなる５箇所の凹凸嵌合部１３とによって嵌合されている。各カバー８Ａ，８Ｂには、直線配管カバー６，６双方の軸心ｘ１，ｘ２が交わる場合（ｄ１＝ｄ２のときであり、図９，１０参照）に、直接壁面にビス止め可能とするための孔を後で形成し易くする凹み１４を形成してある。
【００３７】
図５，１０に示すように、連結カバー９は、円弧形状の上部９Ａの両側にスカート部９Ｂ，９Ｂを備えた断面逆向き略Ｕ字形状を呈し、直線配管カバー側端部の外郭形状を、先細り状となるテーパ面１５に形成し、かつ、屈曲配管カバー側端部の内郭形状を、先拡がり状となるテーパ面１６に形成してある。この内側のテーパ面１６のテーパ角度は、屈曲配管カバー８のテーパ面１１のテーパ角度よりも緩いものに設定されている（図１２参照）。連結カバー９の内面には、後述する蛇腹カバーＦの蛇腹本体３５を係止するための内周リブ１７と、各スカート部９Ｂの内側に位置するフック部１８，１８が一体形成されている。
【００３８】
図６，８に示すように、固定ブラケット１０は、ビス４で壁面に固定される基部１９に、屈曲配管カバー８を係合させるための管軸方向に突出した円弧突起（係合部の一例）２０、直線配管カバー６，６のカバーベース１の壁面からの浮き上がりを規制して保持する押え面２１、連結カバー９のフック部１８を係止させるための一対の係合部２２，２２、及び、後述する蛇腹カバーＦの端部を引っ掛けて係止するための一対の引掛け部２３，２３を一体形成した多機能部品に構成されている。
【００３９】
円弧突起２０は、基部１９から立ち上がる縦壁２４から突設してあるとともに、縦壁２４の付け根部分の基部１９には、縦壁２４の基部１９からの除去を容易化するための切り込み２５が形成されている。縦壁２４の両側に間隙を持って配置される引掛け部２３は、角孔２６ａを備えて横向きに突出する下側突片２６と、同様に横向きに突出する上側突片２７とで形成されている。係合部２２は、突起２２ａと凹入面２２ｂとを備えて構成されている。
【００４０】
下側突片２６の根元から立ち上げられて上側突片２７を支える一対の脇縦壁２８，２８には、円弧突起２０と同じ中心を有して、かつ、若干径の大きい円弧端面２８ａが形成してある。この円弧端面２８ａは、管軸方向での厚みが先端程薄くなる先細り状に尖らせてあり、長さ方向の途中で寸断された蛇腹カバーＦの蛇腹部分を引っ掛けられるように設定してある（図１７参照）。
【００４１】
図７に、仮固定状態の屈曲配管カバー８を本固定するための係止片３０を示す。係止辺３０は、屈曲配管カバー８の外径に沿った円弧端面３１ａを有した略三角形の隠し壁３１に、下側突片２６と上側突片２７との間に嵌まり込む側方突片３２を形成して構成されている。側方突片３２には、挿入限界を規定するストッパ３２ａを形成してある。
【００４２】
次に、屈曲カバー機構Ａを用いて屈曲配管部分をカバーリングする手順を説明する。図８に示すように、先ず、ｆ壁とｇ壁の夫々にカバーベース１をビス４を用いて固定し、それらカバーベース１，１の端部のレール部１ａ，１ａに、固定ブラケット１０の押え面２１を嵌め入れる。次いで、一方の固定ブラケット１０のみをｇ壁にビス４で固定して、他方の固定ブラケット１０が動きうる状態で、図９，１１に示すように、基カバー８Ａの各端部を、各円弧突起２０の外側（壁側）に嵌め入れ、それから他方の固定ブラケット１０をｆ壁にビス４で固定する。
【００４３】
この場合、基カバー８Ａの各端部を各円弧突起２０の外側に嵌め入れてから、両固定ブラケット１０，１０をビス止めするやり方も可能である。但し、一対の係止片３０，３０のうち、ｅ壁とｇ壁側のものは、基カバー８Ａの装着後には取付けることができないので、基カバー８Ａの装着前に嵌め入れておくようにすると良い。
【００４４】
これにより、両カバーベース１，１と両固定ブラケット１０，１０が固定され、かつ、基カバー８Ａが仮固定された状態になり、この状態でストレート管５、エルボ管７、これら両管５，７を接続するソケット管２９から成る給湯管Ｐを、クランプ３を用いてカバーベース１に係止保持させる。このとき、一方のストレート管５の軸心ｘ１と、他方のストレート管５の軸心ｘ２が交わらずに段差ａを生じているので（図２参照）、各ベースカバー１，１の最もエルボ管７側のクランプ３，３間における給湯管Ｐの撓みによってその段差ａが吸収される。
【００４５】
次に、図１０に示すように、各ベースカバー１，１にカバー本体２を嵌め込んで装着するとともに、蓋カバー８Ｂを基カバー８Ａに嵌め入れて屈曲配管カバー８を形成し、それから壁側でない側の係止片３０を各固定ブラケット１０に装備して、４個の係止片３０により、円弧突起２０の外周面に先細り先端部８ｓを押付け、仮固定状態にある屈曲配管カバー８を本固定させる。そして最後に、各連結カバー９，９を各固定ブラケット１０，１０に嵌め込んで装着することで、コーナー部分における給湯管Ｐの配管及びそのカバーリングが完了する。
【００４６】
エルボ管７の両側に存在する直線配管カバー６，６間には、方向が９０度変更されるだけでなく、その曲がり方向に直交する方向に段差ａが付いているので、その段差ａを吸収して屈曲カバー機構Ａは三次元屈曲するような状態になる。屈曲配管カバー８と連結カバー９とは、若干の隙間を見込んだ遊嵌状態での円弧嵌合とされているので、屈曲配管カバー８の軸心８ｔを直線配管カバー６の軸心ｘ１又はｘ２を中心とした相対回動移動が自在（第１融通と定義する）であるとともに、屈曲配管カバー８の軸心８ｔが直線配管カバー６の軸心ｘ１又はｘ２に対して傾く折れ曲がり移動がある程度可能（第２融通と定義する）であり、この２種の融通によって前述の段差ａを吸収できるようになっている。その吸収形態としては次のような状況が考えられる。
【００４７】
< １> 屈曲配管カバー８の一方の端部が連結カバー９に対して管軸心Ｐ周りに回動し、かつ、屈曲配管カバー８の他方の端部が連結カバー９に対して管軸方向で下方に傾く（図１３参照）。これは、一方の連結カバー９部分では第１融通のみが機能し、他方の連結カバー９部分では第２融通のみが機能している状況である。
< ２> 屈曲配管カバー８の両端部が、いずれも各連結カバー９，９に対して管軸心Ｐ周りに回動するとともに管軸方向で傾く。この傾きは、一方は下方に傾き、他方は上方に傾く。これは、いずれの連結カバー９部分でも、第１融通と第２融通の双方が機能している状況である。
【００４８】
〔別実施形態〕
図１５に示すように、端部が先細りではなく直管の屈曲配管カバー３３を用いた屈曲カバー機構Ａでも良い。又、図１５に示すように、連結カバー９の直線配管側端部の外郭形状を直管としても良い。図示しないが、構造物の角隅（出隅）部分に配管される給湯管Ｐを、本発明による屈曲カバー機構Ａを用いてカバーリングしても良い。
【００４９】
図１４に示すように、一方の直線配管カバー６の軸心ｘ１と、他方の直線配管カバー６の軸心ｘ２とに相対角度差αが存在する状態の配管Ｐの屈曲部分を、屈曲カバー機構Ａで覆うものでも良い。この場合は、いずれか一方の固定ブラケット１０と屈曲カバー本体８の一方の端部とが相対回動移動する第１融通により、角度差αを吸収するようになる。
【００５０】
図１６に示すように、直線配管カバー６，６におけるカバーベース１の端部に、固定ブラケット１０の機能を有する部分を形成することにより、独立した部品である連結カバー９を持たない屈曲カバー機構Ａを構成することも可能である。この場合は、カバーベース１の端部が「ブラケット」に、かつ、カバー本体２の端部が「連結カバー部」に夫々相当するものであり、直線配管カバー６，６の端部と屈曲カバー本体８とで屈曲カバー機構Ａが構成されている。つまり、連結カバー９やカバー本体２の端部等を総称して連結カバー部ｑと定義するものである。
【００５１】
図１８に示すように、合成樹脂材等による蛇腹カバーＦを屈曲カバー本体８に代えて用いることも可能である。すなわち、蛇腹本体３５の両端夫々に略環状の装着係止部３６を一体形成して蛇腹カバーＦが構成されており、装着係止部３６には、下方に突出する左右一対の突起部３６ａ，３６ａが形成されている。しかして、装着係止部３６の下部を円弧突起２０と左右の引掛け部２３，２３との上下間に挿入して、突起部３６ａ，３６ａを各角孔２６ａ，２６ａに嵌め入れ、それから連結カバー９を装備すれば、装着係止部３６を押え込んで蛇腹カバーＦを装備できるのである。この場合、連結カバー９の内周リブ１７は、蛇腹カバーＦの挿入限界を規定する部分として機能することができる。
【００５２】
又、図１７に示すように、蛇腹カバーＦの蛇腹本体３５のみを用いてカバーリングさせることも可能である。この場合は、固定ブラケット１０を切り込み２５部位で切断して、縦壁２４を伴なった円弧突起２０を除去し、その両側に形成されている一対の脇縦壁２８を用いる。つまり、装着係止部３６が切断除去された蛇腹本体３５のみの蛇腹管Ｆを、その谷部分３５ａに円弧端面２８ａが位置する状態に固定ブラケット１０に嵌め込み装備し、それから連結カバー９，９を固定ブラケット１０に装着することにより、連結カバー９の内周リブ１７と円弧端面２８ａとが蛇腹本体３５に係合した係止状態として、連結カバー９と固定ブラケット１０とで蛇腹本体３５を挟み込んで装着できるのである。
【００５３】
図１９に示すように、長尺体Ｐとして、エルボ７に代えて蛇腹状のフレキシブル管３４を用いて屈曲配管部分を構成し、そのフレキシブル管３４部分を屈曲カバー機構Ａで覆うものでも良い。
【００５４】
長尺体としては、給湯管、ガス導管、空調用配管、上下水道管、排水管等の管体の他、電線、操作ケーブル、操作ワイヤー等の索体等、種々のものが対象として考えられる。
【図面の簡単な説明】
【図１】入隅における給湯管を覆う屈曲カバー機構の構造を示す断面平面図
【図２】直線配管カバーどうしの相対段差を示す斜視図
【図３】直線配管カバーの構造を示す断面図
【図４】屈曲カバー本体の構造を示す断面図
【図５】連結カバーを示す断面図
【図６】ブラケットの形状と構造を示す三面図
【図７】係止片の形状と構造を示す三面図
【図８】エルボ部分でのカバー施工手順を示す作用図その１
【図９】エルボ部分でのカバー施工手順を示す作用図その２
【図１０】エルボ部分でのカバー施工手順を示す作用図その３
【図１１】屈曲カバー本体と固定ブラケットとの接続状態を示す部分図
【図１２】連結カバー部分でのカバー接続状態を示す断面図
【図１３】一方が回動変位し、他方が折れ曲がり変位した屈曲カバー機構を示す図
【図１４】直線配管カバーどうしに相対角度差があるときの屈曲カバー機構を示す斜視図
【図１５】外径一定の屈曲カバー本体及び連結カバーを示す連結カバー部分の断面図
【図１６】独立した連結カバーを持たない屈曲カバー機構を示す要部の断面図
【図１７】蛇腹カバーの蛇腹本体のみを用いた屈曲カバー機構の要部を示し、（イ）は平面図、（ロ）は側面図
【図１８】蛇腹カバーによる屈曲カバー機構の要部を示し、（イ）は平面図、（ロ）は側面図
【図１９】フレキシブル管を内装した屈曲カバー機構を示す断面平面図
【符号の説明】
６              長尺体カバー
７              屈曲部分
８              屈曲カバー本体
８Ａ，８Ｂ      分割カバー
８ｔ            軸心
１０            ブラケット
２０            係合部
２１            長尺体カバーの端部を支持する部分
Ａ              屈曲カバー機構
Ｐ              長尺体
ｑ              連結カバー部
【図１】
0004330237.tif 000002
【図２】
0004330237.tif 000003
【図３】
0004330237.tif 000004
【図４】
0004330237.tif 000005
【図５】
0004330237.tif 000006
【図６】
0004330237.tif 000007
【図７】
0004330237.tif 000008
【図８】
0004330237.tif 000009
【図９】
0004330237.tif 000010
【図１０】
0004330237.tif 000011
【図１１】
0004330237.tif 000012
【図１２】
0004330237.tif 000013
【図１３】
0004330237.tif 000014
【図１４】
0004330237.tif 000015
【図１５】
0004330237.tif 000016
【図１６】
0004330237.tif 000017
【図１７】
0004330237.tif 000018
【図１８】
0004330237.tif 000019
【図１９】
0004330237.tif 000020